(57)【要約】【課題】  機械的に押圧するのではなく、また、薬剤を使用することなく、人体の特定領域に電気的刺激を与えて、ツボを刺激すること、及び又は、その領域に存在する筋肉を収縮・弛緩させることにより、発汗抑制等を図ることができるようにされた電気治療器具を提供する。【解決手段】  人体における脇の下に存在する発汗を抑制するツボ領域Ｅに所定間隔をあけて貼着される一対のパッド１２、１２と、該一対のパッド１２、１２にそれぞれ設けられた電極１５、１５（＋極、−極）間にケーブル１６を介して電圧を印加するための制御ボックス２０と、を備えている。前記領域Ｅに一対の電極１５、１５を接触させて該電極１５−１５間に電圧を印加して、前記領域Ｅに電気的に刺激を与えるとともに、その領域Ｅに存在する筋肉を収縮・弛緩させることにより、発汗を効果的に抑制するようにされている。【選択図】  図１
2005261662.tif 000002
【特許請求の範囲】
【請求項１】
人体における脇の下に所定間隔をあけて接触せしめられる一対の電極と、この一対の電極間に電圧を印加するための制御ボックスと、を備え、前記電極間に所定のパルス電圧を所定間隔で印加して、前記一対の電極間及びその周辺に存在する発汗を抑制するツボを刺激するようにされていることを特徴とする発汗抑制用の電気治療器具。
【請求項２】
人体の特定部位に所定間隔をあけて接触せしめられる一対の電極と、この一対の電極間に電圧を印加するための制御ボックスと、を備え、前記電極間に所定のパルス電圧を所定間隔で印加して、前記一対の電極間及びその周辺に存在するツボを刺激すること、及び／又は、前記一対の電極間及びその周辺に存在する筋肉を収縮・弛緩させることにより、発汗抑制、頭部の発毛促進又は禿げ予防、顔等のしわの除去又はしわの発生抑制等を図ることを特徴とする電気治療器具。
【請求項３】
人体の特定部位に所定間隔をあけて貼着される一対のパッドを備え、この一対のパッドにそれぞれ前記電極が設けられていることを特徴とする請求項１又は２に記載の電気治療器具。
【請求項４】
人体の特定部位に貼着されるパッドを備え、このパッドに所定間隔をあけて前記一対の電極が設けられていることを特徴とする請求項１又は２に記載の電気治療器具。
【請求項５】
前記制御ボックスに、前記一対の電極間に印加するパルス電圧の強さを調整するための電圧調整用操作部、前記パルス電圧の印加時間を調整するための長さ調整用操作部、及び前記パルス電圧の印加間隔を調整するための間隔調整用操作部のうちの少なくとも一つが設けられていることを特徴とする請求項１から４のいずれかに記載の電気治療器具。
【請求項６】
前記パッドの裏面側に導電性粘着剤が塗工されており、該粘着剤に前記電極が接触せしめられていることを特徴とする請求項３から５のいずれかに記載の電気治療器具。
【発明の詳細な説明】
【技術分野】
【０００１】
本発明は、発汗抑制、頭部の発毛促進又は禿げ予防、顔等のしわ・たるみの除去又はしわ・たるみの発生抑制等を図るようにされた電気治療器具に係り、特に、人体の特定部位、例えば脇の下に所定間隔をあけて接触せしめられる一対の電極間に電圧を印加して（電流を流して）、発汗を抑制するツボを刺激すること、及び／又は、その領域に存在する筋肉を収縮・弛緩させることにより、発汗抑制等を図るようにされた電気治療器具に関する。
【背景技術】
【０００２】
多汗症の人や所謂汗かきの人だけでなく、普通の人でも、汗をかくのを極力抑えることが必要な場合がある。一方、人体における脇の下部分には、発汗を抑制するツボが存在しており、このツボ部分を押圧することで上半身（胸部より上の部分）の発汗が抑制されることが知られている。
【０００３】
そこで、従来においては、下記特許文献１等にも見られるように、人体の体側部の脇の下の部分に存在する発汗反射を司るツボに着目し、この部分を押圧することにより発汗を抑制するようにした発汗抑制具が提案されている。この発汗抑制具は、より詳しくは、突起部が設けられた押圧体を締着具により前記脇の下のツボが存在する領域（以下、ツボ領域）に固定し、押圧体に設けられた突起部で前記ツボ領域を押圧して、発汗を抑制するようにしたものである。
【０００４】
また、下記特許文献２には、過剰な発汗及び多汗症の治療における人体中への発汗抑制剤のイオン導入処理を向上させることができるようにされた治療器具が開示されている。
【０００５】
【特許文献１】特開平９−１４９９２９号公報（第１〜６頁、図１〜図６）
【特許文献２】特表２００２−５３８９０４号公報（第１〜３５頁、図１〜図１０）
【発明の開示】
【発明が解決しようとする課題】
【０００６】
ところで、前記特許文献１等に所載の発汗抑制具は、それを（常時）身に付けて前記ツボ領域を押圧していなければならないので、煩わしさが伴うとともに、脇の下に押圧による違和感、痛みが生じたり、締着部で胸部が圧迫されて息苦しくなる等の問題がある。
【０００７】
また、前記特許文献２に所載の治療器具は、発汗抑制剤を使用することを前提としているので、治療コストが高くつく等の問題がある。
【０００８】
本発明の発明者は、発汗抑制等について鋭意研究を重ねたところ、従来のように、脇の下のツボ領域を機械的に押圧するのではなく、また、発汗抑制剤を使用することなく、脇の下のツボ領域に電気的に刺激を与えること、言い換えれば、その領域に一対の電極を接触させて該電極間に電圧を印加し（電流を流し）、前記ツボ領域を刺激すること、及び／又は、その領域に存在する筋肉を収縮・弛緩させることにより、発汗を抑制することができる、と云う新規の生理現象を見い出した。また、同様な手法によって、頭部の発毛促進又は禿げ予防、顔等のしわ・たるみの除去又はしわ・たるみの発生抑制等を図ることも可能であると云う新規な生理現象を同様に見い出した。
【０００９】
本発明は、前記課題を解決する前記生理現象の如き新たな知見に基づいてなされたものであって、その目的とするところは、従来のように、機械的に押圧するのではなく、また、薬剤を使用することなく、人体の特定部位に電気的刺激を与えて、ツボを刺激すること、及び／又は、その領域に存在する筋肉を収縮・弛緩させることにより、発汗抑制、頭部の発毛促進又は禿げ予防、顔等のしわ・たるみの除去又はしわ・たるみの発生抑制等を図ることができるようにされた電気治療器具を提供することにある。
【課題を解決するための手段】
【００１０】
前記の目的を達成すべく、本発明に係る発汗抑制用の電気治療器具は、人体における脇の下に所定間隔をあけて接触せしめられる一対の電極と、この一対の電極間に電圧を印加するための制御ボックスと、を備え、前記電極間に所定のパルス電圧を所定間隔で印加して、前記一対の電極間及びその周辺に存在する発汗を抑制するツボを刺激するようにされる。
【００１１】
また、本発明に係る電気治療器具は、人体の特定部位に所定間隔をあけて接触せしめられる一対の電極と、この一対の電極間に電圧を印加するための制御ボックスと、を備え、前記電極間に所定のパルス電圧を所定間隔で印加して、前記一対の電極間及びその周辺に存在するツボを刺激すること、及び／又は、前記一対の電極間及びその周辺に存在する筋肉を収縮・弛緩させることにより、発汗抑制、頭部の発毛促進又は禿げ予防、顔等のしわの除去又はしわの発生抑制等を図るようにされる。
【００１２】
好ましい態様では、人体の特定部位に所定間隔をあけて貼着される一対のパッドを備え、この一対のパッドにそれぞれ前記電極が設けられる。
【００１３】
他の好ましい態様では、人体の特定部位に貼着されるパッドを備え、このパッドに所定間隔をあけて前記一対の電極が設けられる。
【００１４】
前記制御ボックスは、好ましい態様では、前記一対の電極間に印加するパルス電圧の強さを調整するための電圧調整用操作部、前記パルス電圧の印加時間を調整するための長さ調整用操作部、及び前記パルス電圧の印加間隔を調整するための間隔調整用操作部のうちの少なくとも一つが設けられる。
【００１５】
他の好ましい態様では、前記パッドの裏面側に導電性粘着剤が塗工されており、該粘着剤に前記電極が接触せしめられる。
【発明の効果】
【００１６】
本発明に係る電気治療器具によれば、脇の下の発汗を抑制するツボが存在する領域に電気的に刺激を与えること、言い換えれば、その領域に一対の電極を接触させて該電極間に電圧を印加し（電流を流し）、前記ツボ領域を刺激すること、及び／又は、その領域に存在する筋肉を収縮・弛緩させるようにするので、従来の発汗抑制用ツボ押圧具を用いる場合の煩わしさ、違和感等を伴うことはなく、また、発汗抑制剤を使用することなく、発汗を効果的に抑制することができる。
【００１７】
また、同様な手法によって、頭部の発毛促進又は禿げ予防、顔等のしわ・たるみの除去又はしわ・たるみの発生抑制等を図ることも可能である。
【発明を実施するための最良の形態】
【００１８】
以下、本発明に係る電気治療器具の実施形態を図面を参照しながら説明する。
【００１９】
図１は、本発明に係る電気治療器具の一実施形態の使用状態を示す概略構成図である。
本実施形態の電気治療器具１０は、発汗抑制用のもので、人体における脇の下に存在する発汗を抑制するツボ領域（図の仮想線で囲まれた領域Ｅ）に所定間隔をあけて貼着される一対のパッド１２、１２と、該一対のパッド１２、１２にそれぞれ設けられた電極１５、１５（＋極、−極）間にケーブル１６を介して電圧を印加するための制御ボックス２０と、を備えている。
【００２０】
前記一対のパッド１２、１２（電極１５、１５）は、左右両脇の下に存在するツボ領域Ｅ、Ｅに同時に電気的刺激を与えるため、同じ構成のものが２組用意されている。また、前記パッド１２の裏面側には導電性粘着剤が塗工されており、該粘着剤に前記電極１５が接触せしめられている。
【００２１】
前記制御ボックス２０は、前記一対の電極間１５、１５間に所定のパルス電圧を所定間隔で印加して、前記一対の電極１５−１５間及びその周辺（領域Ｅ）に存在する発汗を抑制するツボを刺激するとともに、その領域Ｅに存在する筋肉を収縮・弛緩させるためのもので、全体で箱形（リモコン形）とされ、その底側には、電源となるバッテリ（乾電池又は充電池）が収納されるとともに、その一側面には前記ケーブル１６、１６が所定の態様で接続され、その内部に制御回路部が配設されている。
【００２２】
また、前記制御ボックス２０の表面には、電源ＯＮ／ＯＦＦボタン２１、前記一対の電極１５−１５間に印加するパルス電圧の強さを調整するための電圧調整用操作部２２、前記パルス電圧の印加時間を調整するための長さ調整用操作部２３、及び前記パルス電圧の印加間隔（インターバル）を調整するための間隔調整用操作部２４が設けられている。
【００２３】
このような構成とされた電気治療器具１０においては、まず、前記２組の一対のパッド１２、１２のうちの一組を例えば右脇の下の領域Ｅに所定間隔をあけて貼着するとともに、もう一つの組の一対のパッド１２、１２を例えば左脇の下の領域Ｅに所定間隔（例えば、６〜１２ｃｍ）あけて貼着する。
【００２４】
続いて、前記電圧調整用操作部２２、長さ調整用操作部２３、及び間隔調整用操作部２４を操作（回して）、前記一対の電極１５−１５間に印加するパルス電圧の強さ、前記パルス電圧の印加時間、及び前記パルス電圧の印加間隔（インターバル）を適宜に調整しておく。より詳細には、例えば、パルス電圧の強さを１６Ｖ程度、前記パルス電圧の印加時間を１０〜４５分程度、及び前記パルス電圧の印加間隔（インターバル）を３０〜６０サイクル／分程度、に設定しておく。
【００２５】
次に、ボタン２１を押して電源ＯＮとする。
このようにして、脇の下の発汗を抑制するツボが存在する領域Ｅに一対の電極１５、１５を接触させて該電極１５−１５間に電圧を印加して（電流を流して）、前記ツボ領域Ｅに電気的に刺激を与えるとともに、その領域Ｅに存在する筋肉を収縮・弛緩させることにより、従来の発汗抑制用ツボ押圧具を用いる場合の煩わしさ、違和感等を伴うことはなく、また、発汗抑制剤を使用することなく、発汗を効果的に抑制することができる。
【００２６】
実際に脇に汗をかきやすいという１６人について前記電気治療器具１０を用いてその効果を調べてみたところ、次のような結果が得られた。
【００２７】
なお、以下は、各人が、それぞれ一日に左右の脇の下に１０分ずつ３日間にわたって使用した結果である。
＜結果＞
（１）非常に効果があった  ５人
（２）効果があった        ４人
（３）効果がなかった      ３人
（４）わからない          ４人
【００２８】
＜考察・備考＞
１６人の年齢は、１８歳から５２歳までで、どちらかというと、若い人の方が顕著に効果があらわれた。年輩の方でも継続的に使用することにより所望の効果が出てくることが予想される。
【００２９】
また、同様な手法によって、頭部の発毛促進又は禿げ予防、顔等のしわ・たるみの除去又はしわ・たるみの発生抑制等を図ることも可能である。
【００３０】
以上、本発明の一実施形態について詳述したが、本発明は、前記実施形態に限定されるものではなく、特許請求の範囲に記載された発明の精神を逸脱しない範囲で、設計において、種々の変更ができるものである。
【図面の簡単な説明】
【００３１】
【図１】本発明に係る電気治療器具の一実施形態の使用状態を示す概略構成図。
【符号の説明】
【００３２】
１０  発汗抑制用の電気治療器具
１２  パッド
１５  電極
１６  ケーブル
２０  制御ボックス
２１  電源ＯＮ／ＯＦＦボタン
２２  電圧調整用操作部
２３  長さ調整用操作部
２４  間隔調整用操作部
Ｅ  ツボ領域
【図１】
2005261662.tif 000003